(57)【要約】【課題】取付空間に制限がある場合においても、所望の方向へ光を照射できる照明器具を提供する。【解決手段】光源であるＬＥＤユニット３４が取り付けられる灯具本体３１と、ＬＥＤユニット３４との間に、傾斜面である下面４２を有するアダプタ４０を設けたので、灯具本体３１の取付方向と異なる方向へ光を照射することができる。このため、天井裏等の取付空間に障害物がある場合でも、障害物との干渉を回避しながら、所望の方向へ光を照射するように灯具本体３１を取り付けることができる。【選択図】図２
2013045709.tif 000002
【特許請求の範囲】
【請求項１】
光源であるＬＥＤユニットと、
前記ＬＥＤユニットが取り付けられる灯具本体と、を有し、
前記灯具本体と前記ＬＥＤユニットとの間に傾斜面を有するアダプタを設けた照明器具。
【請求項２】
請求項１に記載の照明器具において、
前記アダプタは、前記灯具本体に対して回転可能である照明器具。
【請求項３】
請求項１に記載の照明器具において、
前記灯具本体と前記アダプタは傾斜して取り付けるとともに、前記アダプタと前記ＬＥＤユニットは平行に取り付け、
前記アダプタが回転可能である照明器具。
【発明の詳細な説明】
【技術分野】
【０００１】
本発明は、光源であるＬＥＤユニットを有し、所定の方向を照射する照明器具に関するものである。
【背景技術】
【０００２】
従来より、光源であるＬＥＤユニットを有し、所定の方向を照射するダウンライト等が知られている（例えば、特許文献１参照）。
図６に示すように、特許文献１に記載の照明器具１００では、器具本体１０１の内部に、ＬＥＤ１０２を搭載した略円板状のＬＥＤユニット１０３を収容する。ＬＥＤユニット１０３は、可動部１０４を介して器具本体１０１に取り付けられる。
【０００３】
可動部１０４は、回転軸１０７により、相対的に回転可能に連結された上可動部１０５と下可動部１０６を有する。上可動部１０５および下可動部１０６は、互いに摺接する面が傾斜しており、上可動部１０５および下可動部１０６を回転させることにより、ＬＥＤユニット１０３の照明方向を調整する。
【先行技術文献】
【特許文献】
【０００４】
【特許文献１】特許第４５１２６５３号公報（第１図）
【発明の概要】
【発明が解決しようとする課題】
【０００５】
ところで、図７に示すような、通常のダウンライト１１０では、ＬＥＤユニットを収容する器具本体１１１には、ＬＥＤユニットが発する熱を放熱するための放熱フィン１１２が一体的に設けられている。この放熱フィン１１２には、ＬＥＤユニットに点灯電力を供給する電源装置１１３が放熱フィン１１２に直交して設けられている。また、器具本体１１１の下側には枠体１１４が取り付けられており、枠体１１４には、ダウンライト１１０を天井等に取り付けるための取付ばね１１５が設けられている。
従って、ダウンライト１１０を用いて所望の方向へ光を照射する場合には、ダウンライト１１０を照射方向へ向けて取り付けるのが一般的である。
しかしながら、ダウンライト１１０を照射方向へ向けて取り付ける際には、放熱フィン１１２や電源装置１１３が取付空間に納まりきれない場合があるという問題があった。
【０００６】
本発明は、従来の問題を解決するためになされたもので、取付空間に制限がある場合においても、所望の方向へ光を照射できる照明器具を提供することを目的とする。
【課題を解決するための手段】
【０００７】
本発明の照明器具は、光源であるＬＥＤユニットと、前記ＬＥＤユニットが取り付けられる灯具本体と、を有し、前記灯具本体と前記ＬＥＤユニットとの間に傾斜面を有するアダプタを設けたものである。
【０００８】
また、本発明の照明器具は、前記アダプタは、前記灯具本体に対して回転可能であるものである。
【０００９】
さらに、本発明の照明器具は、前記灯具本体と前記アダプタは傾斜して取り付けるとともに、前記アダプタと前記ＬＥＤユニットは平行に取り付け、前記アダプタが回転可能であるものである。
【発明の効果】
【００１０】
本発明は、光源であるＬＥＤユニットが取り付けられる灯具本体と、ＬＥＤユニットとの間に、傾斜面を有するアダプタを設けたので、灯具本体の取付方向と異なる方向へ光を照射することができ、取付空間に障害物がある場合でも、障害物との干渉を回避しながら、所望の方向へ光を照射するように灯具本体を取り付けることができるという効果を有する照明器具を提供できる。
【図面の簡単な説明】
【００１１】
【図１】本発明に係る第１実施形態の照明器具の全体斜視図
【図２】本発明に係る第１実施形態の照明器具の分解斜視図
【図３】本発明に係る第１実施形態の照明器具の別の例を示す全体斜視図
【図４】本発明に係る第１実施形態の照明器具の別の例を示す断面図
【図５】（Ａ）は本発明に係る第２実施形態の照明器具の分解斜視図であり、（Ｂ）は本発明に係る第２実施形態の照明器具においてアダプタを反転させた分解斜視図
【図６】従来の照明器具の分解斜視図
【図７】従来より一般的なダウンライトの側面図
【発明を実施するための形態】
【００１２】
（第１実施形態）
以下、本発明に係る第１実施形態の照明器具について、図面を用いて説明する。
図１に示すように、本発明に係る実施形態の照明器具１０は、被取付部である天井面１１に埋め込んで取り付けられて、例えば、天井面１１（図４参照）と直交する壁面（図示省略）等を照明するものである。
【００１３】
図１および図２に示すように、照明器具１０は、天井面１１（図４参照）に取り付けられる枠体２０と、枠体２０に支持される灯具３０を有する。
枠体２０は、天井面１１の取付孔１２（図４参照）に嵌め込まれる円筒形状の枠体本体２１を有し、枠体本体２１の下端には、天井下面に当接する鍔部２２を有する。枠体本体２１の外面には、枠体２０を天井面１１に取り付けるための取付ばね２３が、所定間隔で複数個（例えば、３個）設けられている。取付ばね２３は、常時下方（図１中矢印Ａ方向）へ付勢されている。
従って、鍔部２２と取付ばね２３との間に天井面１１を挟むことにより、枠体２０を天井面１１に固定する。
【００１４】
枠体本体２１の前側（図１において下方）には、天井面１１に対して傾斜した照射方向に向かって円形をした開口２５を有する延設部２４が一体的に設けられている。延設部２４は、球体の一部を模した形状とすることができる。あるいは、円筒形状とすることも可能である。
また、延設部２４の内部には、灯具３０の先端部（下部）を収容可能な空間が設けられている。
【００１５】
灯具３０は、多数の放熱フィン３１１を上下方向に有する灯具本体３１を有する。従って、ＬＥＤユニット３４が発した熱は、放熱フィン３１１に伝達されて放熱される。
また、灯具本体３１の後部（上部）には、灯具本体３１に直交する方向に伸びる電源装置３２が取り付けられている。
ここでは、電源装置３２は、後述する光の照射方向とは反対側（図１および図２において右側）に突出して設けられている。すなわち、取付孔１２の光の照射方向側に障害物等がある場合に適する。
この灯具３０は、従来より用いられている通常のダウンライトにおける灯具と共通の構成であり、従来の灯具を用いることができる。
【００１６】
灯具３０の前面（下面）３１２は、アダプタ４０が回転軸３３により回転可能に取り付けられる。灯具３０の前面３１２は略円形をしており、アダプタ４０の上面４１は、灯具３０の前面３１２に対応した略円形をしている。従って、アダプタ４０は、灯具３０に対して、任意の角度で回転可能となっている。
アダプタ４０の下面４２（図４参照）は上面４１に対して傾斜しており、アダプタ４０は、全体として楔状をしている。
従って、下面４２は楕円形状となっているが、アダプタ４０の下面４２には、外側に突出する取付部が同一面で設けられており、アダプタ４０は、取付ねじ４３により延設部２４に固定される。
【００１７】
アダプタ４０の下面４２には、光源であるＬＥＤユニット３４および反射板３５が取り付けられる。すなわち、上述したように、アダプタ４０の下面４２は楕円形状となっているが、ＬＥＤユニット３４および反射板３５には円形のものを用いることができる。また、反射板３５の前面には前面パネル３６が取り付けられる。
従って、ＬＥＤユニット３４、反射板３５および前面パネル３６として、従来より用いられている通常のものを用いることができる。
これにより、ＬＥＤユニット３４から発せられた光は、アダプタ４０の下面４２に直交する方向へ斜めに照射されて、壁等を照明する。
【００１８】
なお、図３および図４には、上述した照明器具１０において、電源装置３２が、光の照射方向側（図３および図４において左側）に突出して設けられている場合が示されている。これは、取付孔１２の光の照射方向と反対側に障害物等がある場合に適する。
その他の構成は、図１および図２で上述したものと共通なので、説明を省略する。
【００１９】
以上、説明した本発明に係る第１実施形態の照明器具１０によれば、光源であるＬＥＤユニット３４が取り付けられる灯具本体３１と、ＬＥＤユニット３４との間に、傾斜面である下面４２を有するアダプタ４０を設けた。これにより、灯具本体３１の取付方向と異なる方向へ光を照射することができる。
このため、天井裏等の取付空間に障害物がある場合でも、障害物との干渉を回避しながら、所望の方向へ光を照射するように照明器具１０を取り付けることができる。
【００２０】
また、アダプタ４０は、灯具本体３１に対して回転可能であるので、アダプタ４０に取り付けられているＬＥＤユニット３４の照射方向を調整することができる。
【００２１】
（第２実施形態）
次に、本発明に係る第２実施形態の照明器具について説明する。
なお、前述した第１実施形態に係る照明器具１０と共通する部位には同じ符号を付して、重複する説明を省略することとする。
図５（Ａ）および図５（Ｂ）には、灯具本体３１Ｂの前面３１２Ｂが灯具本体３１Ｂの軸線ＣＬに対して傾斜している場合が示されている。
従って、灯具本体３１Ｂの前面３１２Ｂは、一般的に楕円形状となる。
【００２２】
図５（Ａ）に示す照明器具１０Ｂでは、灯具本体３１Ｂの前面３１２Ｂとアダプタ４０Ｂの上面４１Ｂが接するように、アダプタ４０Ｂが取り付けられる。従って、アダプタ４０Ｂの上面４１Ｂは、灯具本体３１Ｂの前面３１２Ｂに対応した楕円形状となる。
ここで、灯具本体３１Ｂに対してアダプタ４０Ｂが回転可能と云うことは、楕円形状であることから、１８０度回転（反転）して取り付けることができることを意味する（図５（Ｂ）参照）。
なお、アダプタ４０Ｂの下面４２Ｂは円形であり、下面４２Ｂに取り付けられるＬＥＤユニット３４等は、従来より用いられている円形のものを用いることができる。
【００２３】
以上、説明した本発明に係る第２実施形態の照明器具１０Ｂによれば、灯具本体３１Ｂとアダプタ４０Ｂとは傾斜して取り付けられるとともに、アダプタ４０Ｂが回転可能である。このため、灯具本体３１Ｂの先端が傾斜していて楕円形状をしている場合でも、アダプタ４０Ｂを反転して取り付けることができる。
また、アダプタ４０ＢとＬＥＤユニット３４は平行に取り付けられている。
【００２４】
なお、本発明の照明器具は、前述した各実施形態に限定されるものでなく、適宜な変形，改良等が可能である。
【符号の説明】
【００２５】
１０、１０Ｂ  照明器具
３１、３１Ｂ  灯具本体
３４  ＬＥＤユニット
４０、４０Ｂ  アダプタ
４１Ｂ  上面（傾斜面）
４２  下面（傾斜面）
【図１】
2013045709.tif 000003
【図２】
2013045709.tif 000004
【図３】
2013045709.tif 000005
【図４】
2013045709.tif 000006
【図５】
2013045709.tif 000007
【図６】
2013045709.tif 000008
【図７】
2013045709.tif 000009